(57)【要約】【課題】  テントの各隅角部に縫着される環状部材の裁縫線を通じて外部から雨水や湿気がテントの内部に流入するのを防止できるテント用環状部材の防水構造を提供する。【解決手段】  本体布地１０１の隅角部をテントの内側方向に折り込んで形成する第１収納部１０２と，本体布地の隅角部の外側壁面に縫着される第１環状部材１１１と外側底面に縫着される第２環状部材１１２が当接する当接部位に，第１収納部と対向に形成する第２収納部１１３と，これらの第１収納部と第２収納部に両端が挿入された後，複数の裁縫線によりこれらの第１収納部と第２収納部を提供する本体布地に固着される防水コーティング部材１２１と，第１収納部に縫着された裁縫線１３１を本体布地の内側面から覆いかぶせた状態で付着される防水テープ１０３とを含む。【選択図】    図７
2005220726.tif 000002
【特許請求の範囲】
【請求項１】
本体布地の隅角部をテントの内側方向に折り込んで形成する第１収納部と，
本体布地の隅角部の外側壁面に縫着される第１環状部材と外側底面に縫着される第２環状部材が当接する当接部位に，前記第１収納部と対向に形成する第２収納部と，
前記第１収納部と前記第２収納部に両端が挿入された後，複数の裁縫線により縫着される防水コーティング部材と，
前記第１収納部に縫着された前記裁縫線を本体布地の内側面から覆いかぶせた状態で付着される防水テープと，
を含むことを特徴とするテント用環状部材の防水構造。
【発明の詳細な説明】
【技術分野】
【０００１】
本発明はテントに関するもので，より詳細には，テントの各隅角部に縫着された環状部材の裁縫線を通じて外部からテントの内部に雨水や湿気が流入することを防止できるテント用環状部材の防水構造に関するものである。
【背景技術】
【０００２】
一般的に，テントの隅角部に縫着される環状部材の使用状態は，図１に示す通りである。
すなわち，環状部材１１，１２はポール２２が挿入されるテントの隅角部に結びついて，ポール２２の弾力により本体布地１を多方向に引っ張ることによって，テントの形状を維持させる役割をする。
【０００３】
従来のテントの隅角部に縫着される環状部材１１，１２は図２〜図４に示すような構成を持つ。すなわち，本体布地１の隅角部をテント外側方向に折り込んで収納部２を形成し，この収納部２の内側には補助環状部材２１を位置させると共に，収納部２の外側には２個の環状部材１１，１２を重なった状態で，裁縫線３１によりこれらの環状部材１１，１２を本体布地１に固着させる構造になっている。また図４を参照すると、裁縫線保護防水テープ３２は環状部材１１と本体布地１とを固着させる裁縫線、または環状部材１２と本体布地１を固着させる裁縫線を通じてテント内部に流入する雨水、湿気を遮断する目的で設けられている。
【発明の開示】
【発明が解決しようとする課題】
【０００４】
前述した通常のテント構成において，防水手段が備わっていない裁縫線３１部位を通じて外部の雨水や湿気などが図４に矢印で示すようにテントの内部に侵入する問題がある。
【０００５】
特に，従来のテントにおいて，本体布地１の内面は通常にコーティング処理をしない。また防水テープの付着も難しく、これらの処理を行うとコスト上昇につながる。
【０００６】
そして本体布地の内面をコーティング処理した場合も，裁縫線３１により補助環状部材２１が本体布地１の収納部２の内側に共に固定されているため，収納部２の内側に防水テープを付着するのは非常に難しい。
【０００７】
また，防水テープを付着しても空間を完全に密閉できないため，外部から流入する雨水や湿気を遮断できない問題がある。
【０００８】
そこで、本発明はこのような問題に鑑みてなされたもので、その目的とするところは、テントの各隅角部に縫着される環状部材の裁縫線を通じて外部から雨水や湿気がテントの内部に流入するのを防止できるテント用環状部材の防水構造を提供することにある。
【課題を解決するための手段】
【０００９】
上記課題を解決するために，本発明のテント用環状部材の防水構造は，本体布地の隅角部をテントの内側方向に折り込んで形成する第１収納部と，本体布地の隅角部の外側壁面に縫着される第１環状部材と外側底面に縫着される第２環状部材が当接する当接部位に，前記第１収納部と対向に形成する第２収納部と，前記第１収納部と前記第２収納部に両端が挿入された後，複数の裁縫線により縫着される防水コーティング部材と，前記第１収納部に縫着された前記裁縫線を本体布地の内側面から覆いかぶせた状態で付着される防水テープと，を含むことを特徴とする。
【発明の効果】
【００１０】
本発明によれば，本体布地の側壁と底が会う隅角部をテントの内側方向に折り込んで第１収納部を形成し，本体布地の隅角部の外側壁面に縫着される第１環状部材と外側底面に縫着される第２環状部材が当接する当接部位には，第１収納部と対向に第２収納部を形成して，これらの第１収納部と第２収納部には各々防水コーティング部材の一端と他端を挿入して複数の裁縫線によって固定し，第１収納部に縫着された裁縫線には本体布地の内側面から防水テープを覆いかぶせて付着させることによって，テントの各隅角部に縫着された環状部材の裁縫線を通じて外部からテントの内部に雨水や湿気が流入することを防止でき，より快適で安定したテントを提供することができる。
【発明を実施するための最良の形態】
【００１１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１２】
まず本発明の実施形態にかかるテントの隅角部に結びつくテント用環状部材の防水構造について図面を参照しながら説明する。図５は本発明に係る防水コーティング部材の縫着状態を示している。図６は本発明に係る第１収納部に縫着された裁縫線を覆いかぶせる防水テープを示す内部斜視図である。図７は本発明に係るテントの防水コーティング部材による防水作用を説明するための要部断面図である。
【００１３】
図７を参照すると、この防水構造は，本体布地１０１の隅角部をテントの内側方向に折り込んで形成する第１収納部１０２と，本体布地１０１の隅角部の外側壁面に縫着される第１環状部材１１１と外側底面に縫着される第２環状部材１１２が当接する当接部位に，第１収納部と対向に形成する第２収納部１１３と，これらの第１収納部１０２と第２収納部１１３に両端が挿入された後，複数の裁縫線によりこれらの第１収納部１０２と第２収納部１１３を提供する本体布地１０１に固着される防水コーティング部材１２１と，第１収納部１０２に縫着された裁縫線１３１を本体布地１０１の内側面から覆いかぶせた状態で付着される防水テープ１０３と，から構成される。本体布地１０１の底面には補助環状部材１３２が縫着されている。
【００１４】
次に，前述のように構成した本発明のテント用環状部材の防水構造の製造過程及び作動原理を説明する。
【００１５】
まず，本体布地１０１の各隅角部をテントの内側方向に折り込んで第１収納部１０２を作る。
【００１６】
そして，第１収納部１０２に所定の長さに切断した防水コーティング部材１２１の一端部を挿入した後，防水コーティング部材１２１の一端の表面と裏面に接触される本体布地１０１を裁縫線１３１により縫着して防水コーティング部材１２１の一端を固着させる。
また，防水コーティング部材１２１の上部に位置する余分の本体布地１０１は，重ね合った状態で裁縫線１３１に沿って接着させる。
【００１７】
そして，第１収納部１０２に防水コーティング部材１２１を縫着する過程で形成された裁縫線１３１には，本体布地１０１の内側面から防水テープ１０３を覆いかぶせた状態で付着させる。したがって，裁縫線１３１を通じて外部から雨水や湿気がテントの内部に侵入することを遮断できる。
【００１８】
また，本体布地１０１の隅角部の外側壁面に縫着される第１環状部材１１１と外側底面に縫着される第２環状部材１１２が当接する当接部位には，第１収納部１０２と対向に第２収納部１１３を形成する。この第２収納部１１３内には防水コーティング部材１２１の他端が挿入される。次に，防水コーティング部材１２１の他端の表面と裏面に第１及び第２環状部材１１１，１１２を接触させた状態で，裁縫線１３１により防水コーティング部材１２１の他端を固着させる。
【００１９】
そして，第１及び第２環状部材１１１，１１２と防水コーティング部材１２１を固定させる裁縫線１３１部位は，テント内部の漏水に何らの影響をも与えないので，特に防水テープを付着する必要はない。
【００２０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００２１】
本発明は，テント一般に適用可能であり、特にテントの各隅角部に環状部材を裁縫線で縫着しているテントに適用可能である。
【図面の簡単な説明】
【００２２】
【図１】従来の一般的にテントに縫着されている環状部材を示す斜視図である。
【図２】従来のテントの環状部材が本体布地の隅角部に縫着された状態を示す要部斜視図である。
【図３】従来のテントの環状部材と共に縫着されている補助環状部材をテント内部から見た斜視図である。
【図４】従来のテントの環状部材が本体布地と共に縫着されることによって現れた漏水現象を説明するための要部断面図である。
【図５】本発明に係る防水コーティング部材の縫着状態を説明するための斜視図である。
【図６】本発明に係る第１収納部に縫着された裁縫線を覆いかぶせる防水テープを示す内部斜視図である。
【図７】本発明に係るテントの防水コーティング部材による防水作用を説明するための要部断面図である。
【符号の説明】
【００２３】
１０１  本体布地
１０２  第１収納部
１０３  防水テープ
１１１  第１環状部材
１１２  第２環状部材
１１３  第２収納部
１２１  防水コーティング部材
１３１  裁縫線
１３２  補助環状部材
【図１】
2005220726.tif 000003
【図２】
2005220726.tif 000004
【図３】
2005220726.tif 000005
【図４】
2005220726.tif 000006
【図５】
2005220726.tif 000007
【図６】
2005220726.tif 000008
【図７】
2005220726.tif 000009